(57)【特許請求の範囲】
【請求項１】
表示部と、
第一方向に延びる第一座標軸と、当該第一方向に直交する第二方向に延びる第二座標軸により形成される座標平面を前記表示部に表示させる表示制御部と、
前記第一座標軸に対応させる第一生体パラメータと前記第二座標軸に対応させる第二生体パラメータを変更可能に決定するパラメータ設定部と、
を備えており、
前記表示制御部は、
前記第一生体パラメータの第一基準値を示し、前記第二方向に延びる第一基準線と、
前記第一生体パラメータの第二基準値を示し、前記第二方向に延びる第二基準線と、
前記第二生体パラメータの第一基準値を示し、前記第一方向に延びる第三基準線と、
前記第二生体パラメータの第二基準値を示し、前記第一方向に延びる第四基準線と、
第一時刻における前記第一生体パラメータの測定値と前記第二生体パラメータの測定値の組合せを示す第一シンボルと、
前記第一時刻よりも前の複数の第二時刻における前記第一生体パラメータの測定値と前記第二生体パラメータの測定値の組合せをそれぞれ示す複数の第二シンボルと、
を前記表示部における前記座標平面上に表示させ、
前記表示制御部は、前記座標平面において前記第一基準線、前記第二基準線、前記第三基準線、および前記第四基準線の内側に区画される領域を、前記座標平面の中央を含む位置に表示させ、
前記表示制御部は、前記複数の第二時刻のいずれかから前記第一時刻までの前記第一生体パラメータの測定値の第一変化量と前記第二生体パラメータの測定値の第二変化量を示す第三シンボルを、前記表示部に表示させ、
前記第三シンボルは、ユーザにより指定された前記複数の第二時刻のいずれかに対応する前記複数の第二シンボルの一つと前記第一シンボルを結ぶ矢印である、
生体情報表示装置。
【請求項２】
前記表示制御部は、前記領域の表示態様を、前記座標平面における他の部分の表示態様と相違させる、
請求項１に記載の生体情報表示装置。
【請求項３】
前記表示制御部は、前記第一基準線、前記第二基準線、前記第三基準線、および前記第四基準線により前記座標平面上に区画される九つの領域の少なくとも一つの表示態様を、ユーザの入力に応じて前記座標平面における他の部分の表示態様と相違させる、
請求項１に記載の生体情報表示装置。
【請求項４】
前記表示制御部は、前記第一時刻よりも前の所定の時間内に取得された前記第一生体パラメータの測定値と前記第二生体パラメータの測定値に対応する前記複数の第二シンボルの少なくとも一つの色を変化させる、
請求項１から３のいずれか一項に記載の生体情報表示装置。
【請求項５】
前記表示制御部は、前記第一変化量と前記第二変化量の大きさに応じて前記矢印の色を変化させる、
請求項１から４のいずれか一項に記載の生体情報表示装置。
【請求項６】
前記表示制御部は、前記第一変化量と前記第二変化量のいずれか大きい方に応じた色で前記矢印を表示させる、
請求項１から４のいずれか一項に記載の生体情報表示装置。
【請求項７】
第一方向に延びる第一座標軸と、当該第一方向に直交する第二方向に延びる第二座標軸により形成される座標平面を表示部に表示させ、
前記第一座標軸に対応させる第一生体パラメータと前記第二座標軸に対応させる第二生体パラメータを変更可能に決定し、
前記第一生体パラメータの第一基準値を示し、前記第二方向に延びる第一基準線を前記表示部に表示させ、
前記第一生体パラメータの第二基準値を示し、前記第二方向に延びる第二基準線を前記表示部に表示させ、
前記第二生体パラメータの第一基準値を示し、前記第一方向に延びる第三基準線を前記表示部に表示させ、
前記第二生体パラメータの第二基準値を示し、前記第一方向に延びる第四基準線を前記表示部に表示させ、
第一時刻における前記第一生体パラメータの測定値と前記第二生体パラメータの測定値の組合せを示す第一シンボルを前記表示部に表示させ、
前記第一時刻よりも前の複数の第二時刻における前記第一生体パラメータの測定値と前記第二生体パラメータの測定値の組合せをそれぞれ示す複数の第二シンボルを前記表示部に表示させ、
前記座標平面において前記第一基準線、前記第二基準線、前記第三基準線、および前記第四基準線の内側に区画される領域を、前記座標平面の中央を含む位置に表示させ、
前記複数の第二時刻のいずれかから前記第一時刻までの前記第一生体パラメータの測定値の第一変化量と前記第二生体パラメータの測定値の第二変化量を示す第三シンボルを、前記表示部に表示させ、
前記第三シンボルは、ユーザにより指定された前記複数の第二時刻のいずれかに対応する前記複数の第二シンボルの一つと前記第一シンボルを結ぶ矢印である、
生体情報表示方法。
【発明の詳細な説明】
【技術分野】
【０００１】
本発明は、生体情報表示装置に関する。
【背景技術】
【０００２】
例えば特許文献１に記載されている生体情報表示装置においては、第一方向に延びる第一座標軸、および当該第一方向に直交する第二方向に延びる第二座標軸により形成される座標平面が表示部に表示される。第一座標軸には第一生体パラメータが対応付けられており、第二座標軸には第二生体パラメータが対応付けられている。
【０００３】
すなわち、ある時刻における第一生体パラメータの測定値と第二生体パラメータの測定値の組合せは、上記の座標平面上における点として表示される。両生体パラメータの測定値の経時変化は、座標平面上における点の移動として表される。
【先行技術文献】
【特許文献】
【０００４】
【特許文献１】特開２００９−２１９８２９号公報
【発明の概要】
【発明が解決しようとする課題】
【０００５】
本発明は、複数の生体パラメータの測定値の経時変化が座標平面上の点の移動として表される生体情報表示装置の視認性を向上することを目的とする。
【課題を解決するための手段】
【０００６】
上記の目的を達成するために本発明がとりうる一態様は、生体情報表示装置であって、
表示部と、
第一方向に延びる第一座標軸と、当該第一方向に直交する第二方向に延びる第二座標軸により形成される座標平面を前記表示部に表示させる表示制御部と、
前記第一座標軸に対応させる第一生体パラメータと前記第二座標軸に対応させる第二生体パラメータを変更可能に決定するパラメータ設定部と、
を備えており、
前記表示制御部は、
前記第一生体パラメータの第一基準値を示し、前記第二方向に延びる第一基準線と、
前記第一生体パラメータの第二基準値を示し、前記第二方向に延びる第二基準線と、
前記第二生体パラメータの第一基準値を示し、前記第一方向に延びる第三基準線と、
前記第二生体パラメータの第二基準値を示し、前記第一方向に延びる第四基準線と、
第一時刻における前記第一生体パラメータの測定値と前記第二生体パラメータの測定値の組合せを示す第一シンボルと、
前記第一時刻よりも前の複数の第二時刻における前記第一生体パラメータの測定値と前記第二生体パラメータの測定値の組合せをそれぞれ示す複数の第二シンボルと、
を前記表示部における前記座標平面上に表示させ、
前記表示制御部は、前記座標平面において前記第一基準線、前記第二基準線、前記第三基準線、および前記第四基準線の内側に区画される領域を、前記座標平面の中央を含む位置に表示させる。
【０００７】
第一基準線と第二基準線の内側に区画される領域は、第一生体パラメータの値が正常とみなされる範囲を意味している。第三基準線と第四基準線の内側に区画される領域は、第二生体パラメータの値が正常とみなされる範囲を意味している。したがって、第一基準線、第二基準線、第三基準線、および第四基準線の内側に区画される領域は、選択された第一生体パラメータと第二生体パラメータの双方の値が正常とみなされる範囲を意味している。ユーザは、第一シンボルが当該領域内に収まっているかという観点から、被検者の容体を監視する。
【０００８】
上記の生体情報表示装置においては、表示に供される第一生体パラメータと第二生体パラメータが予め定められていないため、第一基準線、第二基準線、第三基準線、および第四基準線の各位置も一定ではない。しかしながら、上記の構成によれば、選択される第一生体パラメータと第二生体パラメータの種別によらず、第一基準線、第二基準線、第三基準線、および第四基準線の内側に区画される領域が座標平面の中央を含む領域に表示される。これにより、ユーザは、目標とすべき領域を常に座標平面の中央付近に認めることができる。
【０００９】
したがって、表示部に表示される生体情報の自由度を確保しつつ、重要性の高い情報の視認性を向上できる。すなわち、複数の生体パラメータの測定値の経時変化が座標平面上の点の移動として表される生体情報表示装置の視認性を向上できる。
【図面の簡単な説明】
【００１０】
【図１】一実施形態に係る生体情報表示装置の機能構成を示す図である。
【図２】生体情報表示装置における表示部の表示態様の一例を示す図である。
【図３】生体情報表示装置における表示部の表示態様の別例を示す図である。
【図４】生体情報表示装置における表示部の表示態様の別例を示す図である。
【図５】生体情報表示装置における表示部の表示態様の別例を示す図である。
【図６】表示部に表示される変化量を示すシンボルの一例を示す図である。
【図７】表示部に表示される変化量を示すシンボルの別例を示す図である。
【図８】表示部に表示される変化量を示すシンボルの別例を示す図である。
【図９】生体情報表示装置における表示部の表示態様の別例を示す図である。
【発明を実施するための形態】
【００１１】
添付の図面を参照しつつ、実施形態の例を以下詳細に説明する。図１は、一実施形態に係る生体情報表示装置１の機能構成を示す図である。生体情報表示装置１は、測定値取得部１１、表示部１２、表示制御部１３、およびパラメータ設定部１４を備えている。これらは信号やデータを相互に通信可能に接続されている。接続は、有線と無線を問わない。
【００１２】
測定値取得部１１は、被検者に装着された各種のセンサを通じて取得された各種の生体パラメータの測定値を取得するように構成されている。各種のセンサが生体情報表示装置１に直接的に接続されることにより、各種のセンサからの出力が測定値取得部１１へ直接的に入力されうる。あるいは、各種のセンサからの出力が外部の測定装置に入力されることによって測定値として取得され、当該測定値が有線通信または無線通信を通じて測定値取得部１１に入力されうる。すなわち、生体情報表示装置１は、測定値取得部１１を通じて取得された生体パラメータの測定値を表示部１２に表示できれば、任意の態様を採りうる。
【００１３】
表示制御部１３は、座標平面２０を表示部１２に表示させるように構成されている。図２は、表示部１２に表示された座標平面２０の一例を示している。座標平面２０は、第一座標軸２１と第二座標軸２２により形成されている。第一座標軸２１は横方向（第一方向の一例）に延びている。第二座標軸２２は、縦方向（第二方向の一例）に延びている。縦方向は、横方向に直交している。
【００１４】
第一座標軸２１と第二座標軸２２は、いずれも時間軸ではない。第一座標軸２１には、測定値取得部１１に取得された複数の生体パラメータの一つ（第一生体パラメータ）が対応付けられる。第二座標軸２２には、測定値取得部１１に取得された複数の生体パラメータの別の一つ（第二生体パラメータ）が対応付けられる。複数の生体パラメータの例としては、血圧値、心拍数、動脈血酸素飽和度、呼気の二酸化炭素濃度、心拍出量、呼気終末陽圧、平均気道内圧、吸入酸素濃度、局所酸素飽和度、体温などが挙げられる。
【００１５】
第一座標軸２１と第二座標軸２２に対応付けられる一対の生体パラメータの組合せの例としては、血圧値と心拍数、呼気終末用圧と吸入酸素濃度、動脈血酸素飽和度と吸入酸素濃度、局所酸素飽和度と血圧、心拍出量と血圧値の各組合せなどが挙げられる。
【００１６】
パラメータ設定部１４は、第一座標軸２１に対応させる第一生体パラメータと、第二座標軸２２に対応させる第二生体パラメータを変更可能に決定するように構成されている。第一生体パラメータと第二生体パラメータの少なくとも一方は、測定値取得部１１により取得された複数のパラメータの測定値に応じて自動的に決定されてもよいし、ユーザにより選択されてもよい。図２に示される例においては、第一生体パラメータとしてパラメータＡが選択され、第二生体パラメータとしてパラメータＢが選択されている。図３に示される例においては、第一生体パラメータとしてパラメータＡが選択され、第二生体パラメータとしてパラメータＣが選択されている。
【００１７】
表示制御部１３は、現在時刻（第一時刻の一例）における第一生体パラメータの測定値と第二生体パラメータの測定値の組合せを示す第一プロット３１（第一シンボルの一例）を、表示部１２における座標平面２０上に表示させるように構成されている。
【００１８】
表示制御部１３は、過去の複数の時刻（第二時刻の一例）における第一生体パラメータの測定値と第二生体パラメータの測定値の組合せをそれぞれ示す複数の第二プロット３２（第二シンボルの一例）を、表示部１２における座標平面２０上に表示させるように構成されている。第一プロット３１と複数の第二プロット３２の色は相違している。
【００１９】
これにより、座標平面２０に時間軸を用いずとも、両生体パラメータの測定値の経時変化が把握されうる。座標平面２０上に表示される複数の第二プロット３２の数は、適宜に定められ、また変更されうる。図２と図３に示される例においては、複数の第二プロット３２の数は、１２個である。第一プロット３１が表示される現在時刻と最後の第二プロット３２が表示された過去の時刻の間隔、および複数の第二プロット３２に対応する複数の過去の時刻の間隔は等しい。当該間隔は、適宜に定められ、また変更されうる。図２と図３に示される例においては、当該間隔は、５分である。すなわち、図示の例においては、過去１時間における５分ごとの両生体パラメータの測定値の変化が表示されている。
【００２０】
図２に示されるように、表示制御部１３は、第一基準線４１、第二基準線４２、第三基準線４３、および第四基準線４４を座標平面２０上に表示させるように構成されている。  第一基準線４１は、パラメータＡの第一基準値Ａ１を示し、第二座標軸２２と平行に延びている。第二基準線４２は、パラメータＡの第二基準値Ａ２を示し、第二座標軸と平行に延びている。第三基準線４３は、パラメータＢの第一基準値Ｂ１を示し、第一座標軸２１と平行に延びている。第四基準線４４は、パラメータＢの第二基準値Ｂ２を示し、第一座標軸２１と平行に延びている。
【００２１】
パラメータＡの第一基準値Ａ１は、パラメータＡの値が正常とみなされる範囲の下限値である。パラメータＡの第二基準値Ａ２は、パラメータＡの値が正常と見なされる範囲の上限値である。
【００２２】
パラメータＡについての第一基準値Ａ１と第二基準値Ａ２は、図示しない記憶部に予め記憶されうる。この場合、パラメータ設定部１４により第一生体パラメータとしてパラメータＡが選択されると、表示制御部１３は、当該記憶部から第一基準値Ａ１と第二基準値Ａ２を読み出し、読み出された第一基準値Ａ１と第二基準値Ａ２に対応する第一基準線４１と第二基準線４２を表示部１２における座標平面２０上に表示させる。
【００２３】
あるいは、第一基準値Ａ１と第二基準値Ａ２は、ユーザにより手入力されうる。また、表示制御部１３により読み出された第一基準値Ａ１と第二基準値Ａ２は、第一基準線４１と第二基準線４２が表示された後で、適宜のユーザインターフェースを介してユーザにより変更されうる。
【００２４】
パラメータＢの第一基準値Ｂ１は、パラメータＢの値が正常とみなされる範囲の下限値である。パラメータＢの第二基準値Ｂ２は、パラメータＢの値が正常とみなされる範囲の上限値である。
【００２５】
パラメータＢについての第一基準値Ｂ１と第二基準値Ｂ２は、図示しない記憶部に予め記憶されうる。この場合、パラメータ設定部１４により第二生体パラメータとしてパラメータＢが選択されると、表示制御部１３は、当該記憶部から第一基準値Ｂ１と第二基準値Ｂ２を読み出し、読み出された第一基準値Ｂ１と第二基準値Ｂ２に対応する第三基準線４３と第四基準線４４を表示部１２における座標平面２０上に表示させる。
【００２６】
あるいは、第一基準値Ｂ１と第二基準値Ｂ２は、ユーザにより手入力されうる。また、表示制御部１３により読み出された第一基準値Ｂ１と第二基準値Ｂ２は、第三基準線４３と第四基準線４４が表示された後で、適宜のユーザインターフェースを介してユーザにより変更されうる。
【００２７】
図３に示される例においては、第三基準線４３は、パラメータＣの第一基準値Ｃ１を示しており、第四基準線４４は、パラメータＣの第二基準値Ｃ２を示している。
【００２８】
パラメータＣの第一基準値Ｃ１は、パラメータＣの値が正常とみなされる範囲の下限値である。パラメータＣの第二基準値Ｃ２は、パラメータＣの値が正常とみなされる範囲の上限値である。
【００２９】
パラメータＣについての第一基準値Ｃ１と第二基準値Ｃ２は、図示しない記憶部に予め記憶されうる。この場合、パラメータ設定部１４により第二生体パラメータとしてパラメータＣが選択されると、表示制御部１３は、当該記憶部から第一基準値Ｃ１と第二基準値Ｃ２を読み出し、読み出された第一基準値Ｃ１と第二基準値Ｃ２に対応する第三基準線４３と第四基準線４４を表示部１２における座標平面２０上に表示させる。
【００３０】
あるいは、第一基準値Ｃ１と第二基準値Ｃ２は、ユーザにより手入力されうる。また、表示制御部１３により読み出された第一基準値Ｃ１と第二基準値Ｃ２は、第三基準線４３と第四基準線４４が表示された後で、適宜のユーザインターフェースを介してユーザにより変更されうる。
【００３１】
図２と図３から明らかなように、表示制御部１３は、座標平面２０において第一基準線４１、第二基準線４２、第三基準線４３、および第四基準線４４の内側に区画される領域５１を、座標平面２０の中央を含む位置に表示させるように構成されている。
【００３２】
第一基準線４１と第二基準線４２の内側に区画される領域は、第一生体パラメータの値が正常とみなされる範囲を意味している。第三基準線４３と第四基準線４４の内側に区画される領域は、第二生体パラメータの値が正常とみなされる範囲を意味している。したがって、領域５１は、選択された第一生体パラメータと第二生体パラメータの双方の値が正常とみなされる範囲を意味している。ユーザは、第一プロット３１が領域５１内に収まっているかという観点から、被検者の容体を監視する。
【００３３】
本実施形態の生体情報表示装置１においては、表示に供される第一生体パラメータと第二生体パラメータが予め定められていないため、第一基準線４１、第二基準線４２、第三基準線４３、および第四基準線４４の各位置も一定ではない。しかしながら、上記の構成によれば、選択される第一生体パラメータと第二生体パラメータの種別によらず、領域５１が座標平面２０の中央を含む領域に表示される。これにより、ユーザは、目標とすべき領域５１を常に座標平面２０の中央付近に認めることができる。
【００３４】
したがって、表示部１２に表示される生体情報の自由度を確保しつつ、重要性の高い情報の視認性を向上できる。すなわち、複数の生体パラメータの測定値の経時変化が座標平面２０上の点の移動として表される生体情報表示装置１の視認性を向上できる。
【００３５】
表示制御部１３は、領域５１の表示態様を、座標平面２０における他の部分の表示態様と相違させるように構成されうる。例えば、図４に示されるように、表示制御部１３は、領域５１の色を座標平面２０における他の部分の色と相違させうる。
【００３６】
このような構成によれば、重要性の高い情報の視認性をより高めることができる。したがって、複数の生体パラメータの測定値の経時変化が座標平面２０上の点の移動として表される生体情報表示装置１の視認性をより向上できる。
【００３７】
座標平面２０は、第一基準線４１、第二基準線４２、第三基準線４３、および第四基準線４４によって九つの領域に分割される。表示制御部１３は、当該九つの領域の少なくとも一つの表示態様を、ユーザの入力に応じて座標平面２０における他の部分の表示態様と相違させるように構成されうる。表示態様を変更する領域の指定は、ボタン、マウス、タッチパネルなど適宜のユーザインターフェースを介して行なわれうる。
【００３８】
例えば、図５に示されるように、表示制御部１３は、領域５１よりも下方に位置する領域５２、５３、５４の色を座標平面２０における他の部分の色と相違させうる。このような表示態様によれば、例えば、パラメータＢが第一基準値Ｂ１を下回っていないかという観点からの経過観察が容易になる。
【００３９】
よって、このような構成によれば、重要な情報の視認性を確保しつつ、経過観察の自由度を高めることができる。したがって、複数の生体パラメータの測定値の経時変化が座標平面２０上の点の移動として表される生体情報表示装置１の視認性をより向上できる。
【００４０】
表示制御部１３は、現在時刻までの時間に応じて、複数の第二プロット３２の少なくとも一つの色を変化させるように構成されうる。例えば、図２に示されるように、表示制御部１３は、１２個の第二プロット３２のうち、現在時刻に近い四つの第二プロット３２ａの色を変化させうる。変化させる第二プロット３２の数および使用する色数は、適宜に定められうる。例えば、現在時刻から３０分前までの第二プロット３２の色を変えてもよい。あるいは、現在時刻から２０分前までの第二プロット３２を第一の色で表示し、現在時刻から２５〜４０分前までの第二プロット３２を第二の色で表示し、現在時刻から４５〜６０分前までの第二プロット３２を第三の色で表示してもよい。
【００４１】
このような構成によれば、時間軸を用いずとも、両生体パラメータの測定値の経時変化の把握が容易になる。したがって、複数の生体パラメータの測定値の経時変化が座標平面２０上の点の移動として表される生体情報表示装置１の視認性をより向上できる。
【００４２】
表示制御部１３は、複数の過去の時刻のいずれかから現在時刻までの第一生体パラメータの測定値の第一変化量と第二生体パラメータの測定値の第二変化量を表す矢印（第三シンボルの一例）を、表示部１２に表示させるように構成されうる。
【００４３】
例えば、図６の（Ａ）に示される例においては、現在時刻から２０分前における第一生体パラメータと第二生体パラメータの測定値に対応する第二プロット３２ｘが指定されている。当該２０分間における第一生体パラメータの第一変化量と第二生体パラメータの第二変化量は、矢印６０（第三矢印の一例）によって表される。矢印６０は、第二プロット３２ｘから第一プロット３１に向かって延びている。第一変化量と第二変化量は、それぞれ変化量の絶対値と増減という情報を含んでいる。したがって、第一変化量は、第一座標軸２１と平行に延びるベクトルで表現でき、第二変化量は、第二座標軸２２と平行に延びるベクトルで表現できる。矢印６０は、第一変化量を表すベクトルと第二変化量を表すベクトルの合成ベクトルに対応している。
【００４４】
図６の（Ｂ）に示される例においては、現在時刻から２０分前における第一生体パラメータと第二生体パラメータの測定値に対応する第二プロット３２ｘが指定されている。始点となる過去の時刻の指定は、ボタン、マウス、タッチパネルなど適宜のユーザインターフェースを介して行なわれうる。
【００４５】
このような構成によれば、表示される第二プロット３２の数が多い場合においても、任意の過去の時刻から現在時刻までの被検者の容体変化を直観的に視認できる。したがって、複数の生体パラメータの測定値の経時変化が座標平面２０上の点の移動として表される生体情報表示装置１の視認性をより向上できる。
【００４６】
この場合、表示制御部１３は、第一変化量と第二変化量のいずれか大きい方に応じた色で矢印６０を表示させうる。例えば、図７の（Ａ）に示される例においては第二変化量の方が第一変化量よりも大きい。同図における矢印６０は、予め定められた第二生体パラメータに対応する色で表示される。他方、図７の（Ｂ）に示される例においては第二変化量の方が第一変化量よりも大きい。同図における矢印６０は、予め定められた第一生体パラメータに対応する色で表示される。
【００４７】
このような構成によれば、直観的な視認性は確保しつつ、一般に重要度が高い傾向にある変化量のより大きな生体パラメータを特定できる。したがって、複数の生体パラメータの測定値の経時変化が座標平面２０上の点の移動として表される生体情報表示装置１の視認性を向上しつつ、より詳細な情報をユーザに提供できる。
【００４８】
あるいは、表示制御部１３は、複数の過去の時刻のいずれかから現在時刻までの第一生体パラメータの測定値の第一変化量を表す第一矢印（第三シンボルの一例）と第二生体パラメータの測定値の第二変化量を表す示す第二矢印（第三シンボルの一例）を、表示部１２に表示させるように構成されうる。
【００４９】
例えば、図８の（Ａ）に示される例においては、現在時刻から２０分前における第一生体パラメータと第二生体パラメータの測定値に対応する第二プロット３２ｘが指定されている。当該２０分間における第一生体パラメータの第一変化量は、第一矢印６１により表される。第一矢印６１は、第二プロット３２ｘから第一プロット３１に向かって、第一座標軸２１と平行に延びている。当該２０分間における第二生体パラメータの第二変化量は、第二矢印６２によって表される。第二矢印６２は、第二プロット３２ｘから第一プロット３１に向かって、第二座標軸２２と平行に延びている。
【００５０】
このような構成によれば、表示される第二プロット３２の数が多い場合においても、任意の過去の時刻から現在時刻までの被検者の容体変化に係る情報を、より詳細かつ直観的に視認できる。したがって、複数の生体パラメータの測定値の経時変化が座標平面２０上の点の移動として表される生体情報表示装置１の視認性を向上しつつ、より詳細な情報をユーザに提供できる。
【００５１】
この場合、表示制御部１３は、第一変化量の大きさに応じて第一矢印６１の色を変化させ、第二変化量の大きさに応じて第二矢印６２の色を変化させるように構成されうる。
【００５２】
例えば、図８の（Ｂ）に示される例においては、現在時刻から４０分前における第一生体パラメータと第二生体パラメータの測定値に対応する第二プロット３２ｘが指定されている。本例においては、第一変化量が所定値を上回っており、第一矢印６１の色が変更されている。色と色数は適宜に定められうるが、赤や黄などよりユーザの注意を惹きやすい色が用いられることが好ましい。第二変化量が所定値を上回っていれば、第二矢印６２の色も同様に変更されうる。
【００５３】
生体パラメータの測定値の変化量が大きいという事実は、一般に重要度の高い情報である。上記のような構成によれば、第一矢印６１と第二矢印６２が表示されることによってユーザの視認に供される情報量が増えても、より重要度の高い情報をユーザに提供しやすい。したがって、複数の生体パラメータの測定値の経時変化が座標平面２０上の点の移動として表される生体情報表示装置１の視認性を向上しつつ、より重要度の高い情報を容易にユーザに提供できる。
【００５４】
あるいは、表示制御部１３は、第一変化量と第二変化量のいずれか大きい方に対応する第一矢印６１と第二矢印６２のいずれか一方のみを、表示部１２に表示させるように構成されうる。
【００５５】
例えば、図８の（Ｃ）に示される例においては、第二変化量よりも第一変化量の方が大きい。したがって、表示制御部１３は、第一矢印６１のみを表示部１２に表示させる。
【００５６】
このような構成によれば、より重要度の高い生体パラメータに係る変化量のみをユーザに提示できる。したがって、複数の生体パラメータの測定値の経時変化が座標平面２０上の点の移動として表される生体情報表示装置１の視認性をより向上しつつ、より重要度の高い情報を容易にユーザに提供できる。
【００５７】
本実施形態において、測定値取得部１１、表示制御部１３、およびパラメータ設定部１４の機能は、通信可能に接続されたプロセッサとメモリの協働により実行されるソフトウェアにより実現されている。プロセッサの例としては、ＣＰＵやＭＰＵが挙げられる。メモリの例としては、ＲＡＭやＲＯＭが挙げられる。しかしながら、測定値取得部１１、表示制御部１３、およびパラメータ設定部１４の少なくとも一つの機能は、回路素子などのハードウェアにより、またはハードウェアとソフトウェアの組合せにより実現されうる。
【００５８】
上記の各実施形態は、本発明の理解を容易にするための例示にすぎない。上記の各実施形態に係る構成は、本発明の趣旨を逸脱しなければ、適宜に変更・改良されうる。また、等価物が本発明の技術的範囲に含まれることは明らかである。
【００５９】
上記の実施形態においては、第一プロット３１と第二プロット３２として円形のシンボルが用いられている。しかしながら、該当する時刻における第一生体パラメータの測定値と第二生体パラメータの測定値を表すことができれば、第一プロット３１と第二プロット３２の形態は適宜に選択されうる。
【００６０】
上記の実施形態においては、図２に示されるように、表示部１２のほぼ全体を占めるように座標平面２０が表示されている。しかしながら、図９に示されるように、座標平面２０は、表示部１２における任意の一部を占めるように表示されてもよい。あるいは、表示部１２の全体に他の生体情報が表示されている状態において、座標平面２０がポップアップ表示されてもよい。これらの場合においても、第一基準線４１、第二基準線４２、第三基準線４３、および第四基準線４４の内側に区画される領域５１は、座標平面２０の中央を含む領域に表示される。
【００６１】
上記の実施形態においては、第一生体パラメータの第一変化量と第二生体パラメータの第二変化量を表すシンボルとして、矢印６０、第一矢印６１、および第二矢印６２が用いられている。しかしながら、対応するパラメータの変化量の絶対値と増減を表すことができれば、矢印６０、第一矢印６１、および第二矢印６２の少なくとも一つの形態は、適宜に選択されうる。
【００６２】
上記の実施形態においては、第一生体パラメータの第一基準値と第二基準値は、第一生体パラメータの値が正常とみなされる下限値と上限値に対応している。しかしながら、第一生体パラメータの第一基準値と第二基準値の定義は、第一生体パラメータの種別や被検者の容体に応じて適宜に選定されうる。
【００６３】
上記の実施形態においては、第二生体パラメータの第一基準値と第二基準値は、第二生体パラメータの値が正常とみなされる下限値と上限値に対応している。しかしながら、第二生体パラメータの第一基準値と第二基準値の定義は、第二生体パラメータの種別や被検者の容体に応じて適宜に選定されうる。
【符号の説明】
【００６４】
１：生体情報表示装置、１２：表示部、１３：表示制御部、１４：パラメータ設定部、２０：座標平面、２１：第一座標軸、２２：第二座標軸、３１：第一プロット、３２：第二プロット、４１：第一基準線、４２：第二基準線、４３：第三基準線、４４：第四基準線、５１：第一基準線、第二基準線、第三基準線、および第四基準線の内側に区画された領域、６０：矢印、６１：第一矢印、６２：第二矢印
【図１】
0006688040.tif 000002
【図２】
0006688040.tif 000003
【図３】
0006688040.tif 000004
【図４】
0006688040.tif 000005
【図５】
0006688040.tif 000006
【図６】
0006688040.tif 000007
【図７】
0006688040.tif 000008
【図８】
0006688040.tif 000009
【図９】
0006688040.tif 000010